(57)【要約】    【課題】乳幼児の動きを効果的に抑制し、軽量でかさばらず携帯に便利なおむつ交換用補助具の提供。    【解決手段】本発明に係るおむつ交換補助具１は、屈曲復元性を備えた枠材３及び平坦に広げられ上記枠材３により周囲を縁取られた折りたたみ可能なシート５からなる本体７と、この本体７に接続されたベルト９とを備えている。このおむつ交換補助具１は、上記枠材３が板バネ材からなり、上記シート５が天然繊維又は合成繊維からなることが好ましい。好ましくは、このおむつ交換補助具１は、本体７の平面投影面積が、本体７がたたまれたときには本体７が最大に広げられたときの１／３以下となり得るものである。乳幼児には、寝返り等、身体の回転ができないため、おむつの交換が容易にできる。このおむつ交換補助具１は、楽に小さくたたむことができるので出かけるときの携帯に便利である。【選択図】図１
2005046356.tif 000002
【特許請求の範囲】
【請求項１】
屈曲復元性を備えた枠材及び平坦に広げられ上記枠材により周囲を縁取られた折りたたみ可能なシートからなる本体と、
この本体に接続されたベルトとを備えたおむつ交換補助具。
【請求項２】
上記枠材が板バネ材からなり、上記シートが天然繊維又は合成繊維からなる請求項１に記載のおむつ交換補助具。
【請求項３】
本体の平面投影面積が、本体がたたまれたときには本体が最大に広げられたときの１／３以下となり得る請求項１又は２に記載のおむつ交換補助具。
【発明の詳細な説明】
【技術分野】
【０００１】
本発明は、乳幼児のおむつ交換補助具に関する。
【背景技術】
【０００２】
おむつの交換をいやがる乳幼児がじっとしていないため、おむつ交換が大きな負担とされる。この負担を軽減するため、多くの提案がなされている。おむつ交換用ベッド（特開２００２−３４７３３公報、特開２００２−３４７３４公報、特開２００３−５２４９４公報等）は、質量が大きく携帯には不向きである。体型をかたどった枠体に填め込むもの（特開１１−５６５８１号公報）もかさばる。
【０００３】
板状体の上に乳幼児の体を拘束するおむつ交換補助具の提案は多い。例えば、肩や腕を板体の上で固定するもの（特開９−１０８２５４号公報）、硬質材入りクッションシートやベビーシートに乳幼児固定用帯を設けたもの（特開２００３−７０６０２公報、特開２００３−５２４９６公報、特開平１１−２７６３１２号公報）、固定用帯付きマットで折りたたみバッグ兼用のもの（実用新案登録第３０８２３７３号公報）、板上で乳幼児の胴と膝も脚輪で拘束して引っ張り調節する（特開２００３−１６４４７９公報）、硬質板から引き出され前身頃をベルトで乳幼児の腹部に固定するもの（特開２０００−２１７８５３公報）等がある。これらは、折りたためるものでもかなりの質量と体積を占めるため携帯に不便である。
【０００４】
また、ベルトを付けた空気充填可能マットを折りたたみ収納できるもの（実用新案登録第３０２９３０２号公報）及び複数のベルトで胸部、肩、膝等を拘束するもの（実開平５−７４３５５号公報）もある。これらの補助具には、基盤がないため乳幼児の動きを抑制する機能が不十分である恐れがある。
【特許文献１】特開２００２−３４７３３公報
【特許文献２】特開２００２−３４７３４公報
【特許文献３】特開２００３−５２４９４公報
【特許文献４】特開１１−５６５８１号公報
【特許文献５】特開９−１０８２５４号公報
【特許文献６】特開２００３−７０６０２公報
【特許文献７】特開２００３−５２４９６公報
【特許文献８】特開平１１−２７６３１２号公報
【特許文献９】実用新案登録第３０８２３７３号公報
【特許文献１０】特開２００３−１６４４７９公報
【特許文献１１】特開２０００−２１７８５３公報
【特許文献１２】実用新案登録第３０２９３０２号公報
【特許文献１３】実開平５−７４３５５号公報
【発明の開示】
【発明が解決しようとする課題】
【０００５】
前述のように、旅行、買い物等、外出時に手軽に携帯できて、どこでも楽におむつを交換できるおむつ交換補助具が未だない。本発明は、このような現状に鑑みてなされたものであり、乳幼児の動きを効果的に抑制でき、しかも軽量で、かさばらず携帯に便利なおむつ交換用補助具の提供を目的としている。
【課題を解決するための手段】
【０００６】
本発明に係るおむつ交換補助具は、屈曲復元性を備えた枠材及び平坦に広げられ上記枠材により周囲を縁取られた折りたたみ可能なシートからなる本体と、この本体に接続されたベルトとを備えている。
【０００７】
このおむつ交換補助具は、上記枠材が板バネ材からなり、上記シートが天然繊維又は合成繊維からなることが好ましい。
【０００８】
好ましくは、このおむつ交換補助具は、本体の平面投影面積が、本体がたたまれたときには本体が最大に広げられたときの１／３以下となり得るものである。
【発明の効果】
【０００９】
このおむつ交換補助具では、おむつ交換時に乳幼児の動きを効果的に抑制することができる。しかも、軽量でかさばらないため、携帯に便利である。
【発明を実施するための最良の形態】
【００１０】
以下、適宜図面が参照されつつ、好ましい実施形態に基づいて本発明が詳細に説明される。
【００１１】
図１から図７には、本発明の一実施形態に係るおむつ交換補助具１が示されている。図１は交換補助具１が示された平面図である。図２は、図１の正面図である。このおむつ交換補助具１は、枠材３とシート５とを備える本体７と、ベルト９とを備えている。枠材３は、角のない長方形状になっている。シート５は、平坦に広げられた状態で上記枠材３により周囲を縁取られている。
【００１２】
このベルト９は、留め具としてバックル１１を備えている。バックル１１は、雄型バックル１３及び雌型バックル１５からなる。図１には、バックル１１が開放され、ベルト９が伸ばされた状態が示されている。このベルト９は、本体３の中央部に縫って固定されている。このベルト９が収納されるときに用いられる本体の面ファスナー１７が本体７の中央部に付けられている。バックル１１が填め合わされたときに上側になるバックル雌型１５の表面にはバックルの面ファスナー１９が取り付けられている。また、バックル雌型１５の裏面には保護材２１が貼り付けられている。本体７の縁部には、このおむつ交換補助具１が、たたまれて収納されるときに用いられる収納バンド２３が取り付けられている。
【００１３】
図３は、このおむつ交換補助具１の使用状態を示す平面図である。本体１の大きさは、おむつの交換が必要とされる乳幼児の大きさを考慮して設定される。本体１の大きさは、通常、縦３０ｃｍ以上６０ｃｍ以下、横４０ｃｍ以上８０ｃｍ以下であることが好ましい。上記の下限よりも小さいと乳幼児の動きを抑制する効果が小さい。また、上記上限より大きくても乳幼児の動きを抑制する効果はそれほど大きくならず、むしろ、かさばるために不便になる。
【００１４】
このおむつ交換補助具１では、乳幼児の胸部又は胴部にベルト９を掛けて留める。このようにベルト９が掛けられると、乳幼児は、背中にフレキシブルだが面積の大きいおむつ交換補助具１と一体化される。おむつ交換補助具１には、枠材３が曲げ弾性を備えているので、乳幼児が多少枠材を撓ませて動くことができる。しかし、枠材３の屈曲復元性により乳幼児が身体を大きく回転させる動きは制限される。
【００１５】
上記枠材３は、バネ材によって効果的に曲げ弾性が与えられる。この枠材３のバネには、バネ鋼鋼材（ＳＵＰ）、硬鋼線（ＳＷ）、ピアノ線（ＳＷＰ）、オイルテンパー線（ＳＷＯ）、バネ用ステンレス鋼線（ＳＵＳ）、合成樹脂等の材料からなるものが用いられる。バネは、極端に折り曲げない限り座屈しない材料であればよい。
【００１６】
枠材３にある程度の剛性も必要である。枠材３に剛性がなくゴムのように軟らかいと本体を形成する形状保持機能が不足して役に立たない。枠材３の曲げ弾性又は剛性は、枠材３で枠取られた上記の大きさの枠材３を両手でねじることができる程度であることが好ましい。この場合に、あまり抵抗がないと本体の形状保持機能が不足する。また、あまり力を要すると、後述する携帯のためのたたみやすさの機能が損なわれる。この材料の横弾性係数は、６０ＭＰａから８０ＭＰａ程度である。枠材３の材質は、入手しやすさ、耐久性コスト等との面からバネ鋼鋼材が好ましい。
【００１７】
バネ鋼の材質は、巻き尺や車用の吸盤付き日よけ等に用いられている帯状の板バネと同等のものでよい。おむつ交換補助具に用いられる帯状の板バネの厚みは、これらの２倍から７倍程度が好ましい。この板バネは、積層されて構成されてもよい。
【００１８】
枠材３には、折りたたみ可能なシート５が掛け渡されて固定されている。このシート５には、シート５の面と平行の方向には大きく変形しにくいが、シート５の面に交わる方向には自在に変形できるものが用いられる。剛性を備えている板材は適さない。このシート５には、繊維からなる織布、不織布及び編み布並びに合成樹脂のフィルムが例示される。
【００１９】
このシート５の材質としては、肌触り、通気性、耐久性、コスト等の面から天然又は合成繊維からなるものが好ましい。より好ましくは、天然又は合成繊維からなる織布又は編み布である。このシート５は、枠材に縫いつけ接着又は溶着の方法により取り付けられる。シート５を取り付けるときに、通常は枠に縁取られてシワや弛みがなく平坦に広げられる。シワや弛みはあっても構わないが、無駄である。
【００２０】
繊維材料としては、吸湿性があるという点からは、綿、羊毛等の天然繊維及びレーヨンが好ましい。耐久性が高いという点からは、合成繊維のビニロン、ナイロン、ポリエステル、ポリプロピレン等が好ましい。好ましい織り方としては、スクリーンメッシュ、ゴム編み等が伸びがよく、弾力性に富む。
【００２１】
ベルト９は、本体７に固定され又は本体に通されて接続されればよい。ベルト９は、乳幼児を無理なく拘束できるものであれば特に限定されない。可撓性を備え乳幼児の身体に沿いやすいものが好ましい。なかでも肌触りがよいことが好ましい。材質としては、繊維製、天然又は合成の皮革、合成樹脂等のものが用いられる。
【００２２】
ベルト９の留め具も特に限定されないが、引っかかって皮膚や衣類を損傷する恐れのないものが好ましい。留め具として用いられているバックル１１の材質は、通常合成樹脂又は金属である。この材質は、硬質であり又熱伝導のよいものであることが多いため、上記の保護材２１で被覆される。保護材２１としては、発泡体シート、フェルト、織布、不織布等が好適に用いられる。この保護材２１は、乳幼児に接触する側のバックル雌型１５が乳幼児の身体に直接当たらないようにカバーしている。このように被覆されることにより、乳幼児に不快感を生じさせない。
【００２３】
図４は、図１のおむつ交換補助具１を収納する前にベルト９をまとめた様子を示す平面図である。ベルト９のバックル１１を填め合わせて、バックル雌型１５表面のバックル側面ファスナー１９が本体側面ファスナー１７に留められる。こうして留めることにより、ベルト９が折りたたまれて、おむつ交換補助具全体がたたまれ収納されやすくなる。
【００２４】
図５から図７には、おむつ交換補助具１が収納される時に折りたたまれる様子が示されている。図５では、図１のおむつ交換補助具１がたたまれ始めた最初の段階が示されている。まず、おむつ交換補助具１の対角線方向の例えば、右下方部Ｒと左上方部Ｌが手で掴まれる。図５に示されているように、右下方部Ｒは右周り（向こう側）に左上方部Ｌは左周り（手前側）に回転するように曲げられる。
【００２５】
さらに、このまま続けて枠材３が、ねじられ回転されると、枠材３の剪断弾性力によって枠材が丸く重なってたたまれる。図６は、たたまれたときに枠材３が、ねじられている様子を示す斜視図である。図示されていないが、枠材３に縁取りされているシート５は、枠材３と共にねじられシワを生じてたたみ込まれている。この枠材３が、たたまれたときには、枠材３のねじり剪断弾性力で拡がろうとするエネルギーが蓄えられている。おむつ交換補助具１が、たたまれた状態で安定に保たれるように、収納バンド２３が掛けられる。収納バンド２３が掛けられれば、おむつ交換補助具１が急に拡がることがなく携帯に便利である。この収納バンド２３は、繊維で被覆されたゴムバンド等が好適に用いられる。
【００２６】
図７は、おむつ交換補助具１が、たたまれた状態が示された斜視図である。シート５及びベルト９は、ねじられた枠材３の中に収容されている。このようにたたまれたときの平面投影面積は、通常、広げられたときの平面投影面積のおよそ１／４程度になる。広げられたときの平面形状によって、たたまれたときの平面投影面積の小さくなり具合が異なる。たたまれたときの平面投影面積は、元の平面投影面積の１／３以下になることが好ましい。
【００２７】
このおむつ交換補助具１は、枠材３の柔軟性により拘束される乳幼児の不快感は軽減される。しかし、乳幼児の寝返り等、身体の回転はできないため、おむつの交換が容易にできる。さらにこのおむつ交換補助具１は、楽に小さくたたむことができる。小さくたたまれたおむつ交換補助具１は、軽量で、かさばらないため収納の自由度が大きい。このおむつ交換補助具１は、出かけるときの携帯に便利である。
【００２８】
図８は、本発明の他の実施形態に係るおむつ交換補助具２５が示された平面図である。このおむつ交換補助具２５の本体２７では、乳幼児の好みそうな形状又は描画が施されている。おむつ交換補助具に対して乳幼児の抵抗感が和らげられることは重要である。好みの描画等は、プリント、染め付け、刺繍、その他公知の方法でなされ得る。
【００２９】
このおむつ交換補助具２５の枠材２９及びシート３１は上記の材料と同様である。ベルト３３は、本体２７の中央部に設けられた孔３５及び３６から引き出されて用いられる。このベルト３３には、留め具は特に設けられていない。乳幼児の胴等がベルト３３を用いて結ぶことにより本体と結合され得る。留め具を取り付けることは任意にできる。
【００３０】
ベルト孔３５及び３６の他にこれらよりもさらに外側に孔３７及び３８が設けられている。この孔３７及び３９は、乳幼児の胴よりも腕を拘束する方がよいときに用いることができる。すなわち、ベルト３３を、乳幼児の左腕には孔３５から孔３７に、右腕には孔３６から孔３８に本体の裏側に向かって通す。このベルト３３を本体の裏側で留めるように用いることもできる。
【００３１】
このおむつ交換補助具２５は、比較的抵抗感なく乳幼児の動きを抑えることができる。また、軽量であり、たたむことにより小さくなるので携帯に便利である。
【産業上の利用可能性】
【００３２】
本発明は、乳幼児のおむつの交換及びこれに類似する乳幼児等の動きを抑制するための補助具に適用されうる。
【図面の簡単な説明】
【００３３】
【図１】図１は、本発明の一実施形態に係るおむつ交換補助具が示された平面図である。
【図２】図２は、図１の正面図である。
【図３】図３は、図１のおむつ交換補助具の使用状態が示された平面図である。
【図４】図４は、図１のベルトがまとめられた状態を示す平面図である。
【図５】図５は、図１のおむつ交換補助具がたたまれ始める様子が示された斜視図である。
【図６】図６は、図１のおむつ交換補助具がたたまれたときに枠材がねじれている様子を示す斜視図である。
【図７】図７は、図１のおむつ交換補助具がたたまれ終わる直前の状態が示された斜視図である。
【図８】図８は、本発明の他の実施形態に係るおむつ交換補助具が示された平面図である。
【符号の説明】
【００３４】
１、２５・・・おむつ交換補助具
３、２９・・・枠材
５、３１・・・シート
７、２７・・・本体
９、３３・・・ベルト３３
１１・・・バックル
１７・・・本体側面ファスナー
１９・・・バックル側面ファスナー
３５、３６、３７、３８・・・孔
【図１】
2005046356.tif 000003
【図２】
2005046356.tif 000004
【図３】
2005046356.tif 000005
【図４】
2005046356.tif 000006
【図５】
2005046356.tif 000007
【図６】
2005046356.tif 000008
【図７】
2005046356.tif 000009
【図８】
2005046356.tif 000010